(57)【要約】【課題】皮膚に対する押圧力を容易に分散することができ、且つ、皮膚の汚れを容易に除去することが可能なクレンジングシートを提供する。【解決手段】クレンジングシート１は、液剤が含浸しており、皮膚に対して擦り付けられることによって皮膚の汚れを除去するクレンジングシート１である。クレンジングシート１は、人の手指が挿入される袋状にそれぞれ形成されている複数の指挿入ポケット２、３を有する。【選択図】図１
2018019913.tif 000002
【特許請求の範囲】
【請求項１】
液剤が含浸しており、皮膚の汚れを除去するクレンジングシートであって、
人の手指が挿入される袋状にそれぞれ形成されている複数の指挿入ポケットを有するクレンジングシート。
【請求項２】
前記複数の指挿入ポケットどうしが互いに離間している請求項１に記載のクレンジングシート。
【請求項３】
当該クレンジングシートを人の鼻に沿って配置した状態において前記鼻の一部分が入り込み可能な切欠形状部を有する請求項１又は２に記載のクレンジングシート。
【請求項４】
当該クレンジングシートの表面の少なくとも一部分に複数の凹凸が形成されている請求項１から３のいずれか一項に記載のクレンジングシート。
【請求項５】
当該クレンジングシートが、当該クレンジングシートの一方の面を構成する第１層と、他方の面を構成する第２層と、を含む積層構造となっている請求項１から４のいずれか一項に記載のクレンジングシート。
【請求項６】
前記第１層と前記第２層とでは、素材が互いに異なっている請求項５に記載のクレンジングシート。
【請求項７】
前記第１層及び前記第２層の各々が不織布層であり、前記第１層及び前記第２層の坪量が互いに異なっている請求項５又は６に記載のクレンジングシート。
【請求項８】
前記複数の指挿入ポケットに対する手指の挿入方向が互いに異なっている請求項１から７のいずれか一項に記載のクレンジングシート。
【請求項９】
前記複数の指挿入ポケットに対する手指の挿入方向が、互いに反対方向又は交差方向となっている請求項８に記載のクレンジングシート。
【請求項１０】
前記指挿入ポケットの開口縁部が、他部に比して補強されている請求項１から９のいずれか一項に記載のクレンジングシート。
【請求項１１】
前記指挿入ポケットの各々は、前記手指における付け根よりも先端側の部分が挿入され、且つ、手における前記付け根よりも手首側の部分は覆わないサイズのものである請求項１から１０のいずれか一項に記載のクレンジングシート。
【発明の詳細な説明】
【技術分野】
【０００１】
本発明は、クレンジングシートに関する。
【背景技術】
【０００２】
特許文献１には、顔の皮脂を除去するためのシートとして、手指が挿入される袋状に形成されたシートが記載されている。このシートは、多孔質構造を有するオレフィン系樹脂性のフィルムにより構成されている。特許文献１には、シートに手指を挿入し、顔の皮膚にあてがって軽く押すだけで、容易に皮脂を吸着できる旨が記載されている。
特許文献２にも、特許文献１と同様のシートが記載されている。
【先行技術文献】
【特許文献】
【０００３】
【特許文献１】特開平１１−１２７９５４号公報
【特許文献２】特開２００１−７８９１４号公報
【発明の概要】
【発明が解決しようとする課題】
【０００４】
しかしながら、特許文献１、２に記載されたようなシートでは、皮膚に対する押圧力が局所的に集中しやすいと考えられる。
【０００５】
本発明は、上記の課題に鑑みなされたものであり、皮膚に対する押圧力を容易に分散でき、且つ、皮膚の汚れを容易に除去することが可能なクレンジングシートに関する。
【課題を解決するための手段】
【０００６】
本発明は、液剤が含浸しており、皮膚の汚れを除去するクレンジングシートであって、人の手指が挿入される袋状にそれぞれ形成されている複数の指挿入ポケットを有するクレンジングシートを提供するものである。
【発明の効果】
【０００７】
本発明によれば、皮膚に対する押圧力を容易に分散することができ、且つ、皮膚の汚れを容易に除去することが可能である。
【図面の簡単な説明】
【０００８】
【図１】第１の実施形態に係るクレンジングシートを示す図であり、このうち（ａ）は平面図、（ｂ）は（ａ）のＢ方向から視た側面図、（ｃ）は（ａ）のＣ−Ｃ線に沿った断面図、（ｄ）は底面図である。
【図２】第１の実施形態に係るクレンジングシートの使用状態の一例を示す図である。
【図３】図３各図は第１の実施形態の変形例に係るクレンジングシートを示す平面図である。
【図４】第２の実施形態に係るクレンジングシートの使用例を説明するための図である。
【図５】図５各図は第２の実施形態の変形例に係るクレンジングシートを示す平面図である。
【図６】図６各図は第２の実施形態の変形例に係るクレンジングシートを示す平面図である。
【図７】図７各図は第２の実施形態の変形例に係るクレンジングシートを示す平面図である。
【図８】第３の実施形態に係るクレンジングシートを示す図であり、このうち（ａ）はシートの一方の面を表側にした状態の平面図、（ｂ）は（ａ）のＢ−Ｂ線に沿った断面図、（ｃ）はシートの他方の面を表側にした状態の平面図、（ｄ）は（ｃ）のＤ−Ｄ線に沿った断面図である。
【図９】第４の実施形態に係るクレンジングシートを示す平面図である。
【図１０】図１０各図は第５の実施形態に係るクレンジングシートの底面図である。
【図１１】図１１各図は第１の実施形態の変形例に係るクレンジングシートを示す平面図である。
【発明を実施するための形態】
【０００９】
以下、本発明の実施形態について、図面を用いて説明する。なお、すべての図面において、同様の構成要素には同一の符号を付し、重複する説明は適宜に省略する。
【００１０】
〔第１の実施形態〕
先ず、図１及び図２を用いて第１の実施形態を説明する。
本実施形態に係るクレンジングシート１は、液剤が含浸しており、皮膚の汚れを除去するクレンジングシート１である。クレンジングシート１は、人の手指が挿入される袋状にそれぞれ形成されている複数（例えば２つ）の指挿入ポケット２、３を有する。
指挿入ポケット２、３に手指を挿入して、クレンジングシート１を皮膚に対して擦り付けることによって、皮膚を洗浄することができる。
【００１１】
なお、以下の説明において、クレンジングシート１の形状及び寸法の説明は、クレンジングシート１が平坦な状態でも形状及び寸法を示しているものとする。
【００１２】
本実施形態の場合、クレンジングシート１は、ベースシート４と、ベースシート４の一方の面上に接合及び配置されている２枚のポケット構成シート５、６と、を備えて構成されている。
【００１３】
ベースシート４、ポケット構成シート５及びポケット構成シート６は、それぞれ液状の液剤を含浸可能な可撓性のシート材により構成されている。
このシート材は、特に限定されないが、繊維シートとすることができる。繊維シートを構成する繊維材料としては、不織布、織布、編み物地若しくはこれらの複合材料、又はこれらと他のシート材との複合材料が挙げられる。
繊維シートとして不織布を用いる場合、その種類は特に限定されないが、スパンレース不織布、メルトブローン不織布、スパンボンド不織布、エアスルー不織布、レジンボンド不織布、ニードルパンチ不織布などを用いることができる。また、これらの不織布の複合体を用いても良い。そのような複合体としては、スパンレース−メルトブローン不織布、スパンボンド−メルトブローン不織布、スパンボンド−メルトブローン−スパンボンド不織布、スパンレース−メルトブローン−スパンレース不織布などが挙げられる。
不織布を構成する繊維としては、熱可塑性の合成繊維、半合成繊維、再生繊維、天然繊維などを用いることができる。合成繊維としては、ポリエチレンやポリプロピレン等のポリオレフィン系繊維、ポリエチレンテレフタレート等のポリエステル系繊維、ポリアミド繊維、アクリル系繊維、ポリ酢酸ビニル、ポリビニルアルコール、ポリビニルブチラール、酢酸ビニル・ビニルピロリドン共重合体等のポリビニル系繊維、ポリスチレン系繊維、これらの樹脂を２種以上ブレンドした繊維、これらの樹脂からなる多成分系複合繊維などを用いることができる。また半合成繊維としては、アセテートなど、再生繊維としては、レーヨン、テンセル、キュプラなど、天然繊維としては、コットン、麻、シルクなどを用いることができる。これらの各種繊維は単独で又は２種以上を組み合わせて用いることができる。
なお、シート材は、多孔質構造を有する樹脂フィルム（オレフィン系樹脂フィルムなど）であっても良い。
【００１４】
本実施形態の場合、ベースシート４の平面形状は長円形状である。ベースシート４の長軸方向（図１（ａ）の左右方向）における中央部は、ポケット構成シート５及びポケット構成シート６が配置されない介在部９を構成している。本実施形態の場合、介在部９の平面形状は矩形状となっている。
なお、ベースシート４の平面形状は、クレンジングシート１の平面形状に等しい。
【００１５】
ここで、ベースシート４において、介在部９を基準として、ベースシート４の長軸方向における一方の側の部分を第１部分、ベースシート４の長軸方向における他方の側の部分を第２部分と称することとする。ポケット構成シート５は、ベースシート４の第１部分に重ねて配置されており、ポケット構成シート６は、ベースシート４の第２部分に重ねて配置されている。
より詳細には、ポケット構成シート５の平面形状は、ベースシート４の第１部分の平面形状と同形状となっており、且つ、ポケット構成シート５の外形線とベースシート４の第１部分の外形線とが平面視において一致するように、ポケット構成シート５がベースシート４に対して位置合わせされている。ポケット構成シート５の周縁部は、介在部９に対して隣接する部位を除いて、ベースシート４の第１部分に対して接合されている。以下、ベースシート４とポケット構成シート５とが相互に接合されている領域を接合部７と称する。
同様に、ポケット構成シート６の平面形状は、ベースシート４の第２部分の平面形状と同形状となっており、且つ、ポケット構成シート６の外形線とベースシート４の第２部分の外形線とが平面視において一致するように、ポケット構成シート６がベースシート４に対して位置合わせされている。ポケット構成シート６の周縁部は、介在部９に対して隣接する部位を除いて、ベースシート４の第２部分に対して接合されている。以下、ベースシート４とポケット構成シート６とが相互に接合されている領域を接合部８と称する。
本実施形態の場合、接合部７、８の平面形状はそれぞれＵ字状である。図１（ａ）においては、接合部７、８が存在する範囲にハッチングを付している。
なお、ポケット構成シート５とベースシート４との接合、並びに、ポケット構成シート６とベースシート４との接合は、熱融着により一括して行うことができる。
【００１６】
指挿入ポケット２は、ベースシート４の第１部分とポケット構成シート５とにより構成されている。ポケット構成シート５において、介在部９に対して隣接する部位は、ベースシート４に対して接合されていない。そして、ポケット構成シート５における当該部位と、ベースシート４との間隙は、指挿入ポケット２の内部領域に手指を挿入するための開口部２ａとなっている。指挿入ポケット２の内部領域とは、ベースシート４の第１部分とポケット構成シート５との間の領域（対向間隔）である。
同様に、指挿入ポケット３は、ベースシート４の第２部分とポケット構成シート６とにより構成されている。ポケット構成シート６において、介在部９に対して隣接する部位は、ベースシート４に対して接合されていない。そして、ポケット構成シート６における当該部位と、ベースシート４との間隙は、指挿入ポケット３の内部領域に手指を挿入するための開口部３ａとなっている。指挿入ポケット３の内部領域とは、ベースシート４の第２部分とポケット構成シート６との間の領域（対向間隔）である。
【００１７】
なお、開口部２ａと開口部３ａとは、互いに平行に延在している。
指挿入ポケット２に対する手指の挿入方向は、図１（ａ）に示される左側の矢印の方向であり、指挿入ポケット３に対する手指の挿入方向は、図１（ａ）に示される右側の矢印の方向である。
ここで、指挿入ポケット２に対する手指の挿入方向は、平面視において、開口部２ａの一端と他端とを結ぶ仮想線分の二等分線の方向とすることができ、同様に、指挿入ポケット３に対する手指の挿入方向は、平面視において、開口部３ａの一端と他端とを結ぶ仮想線分の二等分線の方向とすることができる。
本実施形態の場合、指挿入ポケット２に対する手指の挿入方向と、指挿入ポケット３に対する手指の挿入方向とは、互いに異なっている。すなわち、複数の指挿入ポケット２、３に対する手指の挿入方向が互いに異なっている。
より詳細には、指挿入ポケット２に対する手指の挿入方向と、指挿入ポケット３に対する手指の挿入方向とは、互いに反対方向となっている。
このため、本実施形態の場合は、指挿入ポケット２、３のそれぞれに対して、片方の手の親指と親指以外の指（人差し指など）とを挿入してクレンジングシート１を用いるのに適している。
【００１８】
本実施形態の場合、指挿入ポケット２、３の各々は、手指における付け根１４（図２参照）よりも先端側の部分が挿入され、且つ、手１２における付け根１４よりも手首１５側の部分は覆わないサイズのものである。
ここで、指挿入ポケット２、３の深さは、本実施形態の場合、ベースシート４の長軸方向における指挿入ポケット２、３の内部領域の長さ寸法である。指挿入ポケット２、３の深さは、手指の長さ以下に設定されている。
より詳細には、指挿入ポケット２、３の深さは、８ｃｍ以下とすることができ、或いは、５ｃｍ以下とすることができる。なお、指挿入ポケット２、３の深さは、１ｃｍ以上であることが好ましい。
また、指挿入ポケット２、３の幅は、本実施形態の場合、ベースシート４の短軸方向における指挿入ポケット２の内部領域の長さ寸法である。指挿入ポケット２、３の幅は、指挿入ポケット２、指挿入ポケット３に手指を挿入するのに十分な寸法に設定されており、１．５ｃｍ以上であることが好ましく、２ｃｍ以上とすることが更に好ましい。
【００１９】
ここで、本実施形態の場合、クレンジングシート１は、複数の指挿入ポケット２、３どうしの間に介在している介在部９を有しており、介在部９を介して、複数の指挿入ポケット２、３どうしが互いに離間している。これにより、複数の指挿入ポケット２、３の各々が互いに独立的に自由に動きやすくなる。よって、各指挿入ポケット２、３に手指を挿入した状態で、各指挿入ポケット２、３を高い自由度で動かして、クレンジングシート１を皮膚に擦りつける動作などを容易に行うことができる。
【００２０】
なお、クレンジングシート１は、図１各図の左右方向に対称に形成されている。
【００２１】
また、クレンジングシート１に含浸している液剤は、特に限定されないが、メイク落としや皮脂溶解性のものとすることができる。この液剤は、水、油剤、界面活性剤、アルコール類又はポリオール類の少なくとも１種を含むものとすることができる。
【００２２】
クレンジングシート１は、以上のように構成されている。
【００２３】
次に、クレンジングシート１の使用方法の例を説明する。
先ず、クレンジングシート１を顔１０において汚れを取りたい部分（図２では鼻１１）の表面に密着させて貼り付けた状態で静置し、クレンジングシート１に含浸している液剤を皮膚（肌）に馴染ませる。これにより、液剤を毛穴の汚れに馴染ませることができる。
その際、ベースシート４側を下にして皮膚（肌）に液剤を馴染ませることが好ましいが、別の使い方として、一度ポケット構成シート５、６側を下にして皮膚（肌）に液剤を馴染ませた後、ひっくり返して次のステップに進むこともできる。
その後、クレンジングシート１の指挿入ポケット２、３にそれぞれ手指１３（図２では親指１３ａと人差し指１３ｂ）を挿入し、クレンジングシート１を肌に擦りつける。これにより、浮いた汚れをクレンジングシート１で拭き取って容易に除去することができるとともに、鼻１１などをマッサージすることができる。
この際に、指挿入ポケット２、３に手指１３を挿入した状態でマッサージすることができるため、手指１３がクレンジングシート１に対して位置ずれしてしまうことを抑制できる。よって、爪先などが直に肌に接触してしまうことを抑制できる。
更に、複数の指挿入ポケット２、３の各々に手指１３を挿入した状態でマッサージすることができるため、皮膚に対する押圧力を容易に分散することができる。
また、各指挿入ポケット２、３は、外面と内面とが入れ替わるように反転させて使用することもできる。よって、指挿入ポケット２、３の当初の外面を肌に擦りつけて汚れを除去した後、指挿入ポケット２、３の当初の内面を外面にして（当初の外面を内面にして）、上記と同様にクレンジングシート１を肌に擦りつけることにより、指挿入ポケット２、３の当初の内面と外面（すなわちベースシート４の下面と上面）との双方を有効利用することができる。
なお、クレンジングシート１は、使い捨てを想定したものとすることができ、使用後は廃棄することができる。
【００２４】
以上のような実施形態によれば、クレンジングシート１には液剤が含浸しているとともに、クレンジングシート１は、人の手指が挿入される袋状にそれぞれ形成されている複数の指挿入ポケット２、３を有するので、皮膚に対する押圧力を容易に分散することができ、且つ、クレンジングシート１によって皮膚の汚れを容易に除去することが可能である。
【００２５】
＜第１の実施形態の変形例＞
以下、図３各図を用いて、第１の実施形態の各変形例について説明する。なお、これら変形例においては、ベースシート４（図３（ａ）では不図示）の形状は、第１の実施形態と同様である。
【００２６】
＜第１の実施形態の変形例１＞
図３（ａ）に示すように、本変形例の場合、クレンジングシート１は、開口部２ａと開口部３ａとが隣接している点で、上記の第１の実施形態と相違し、その他の点では上記の第１の実施形態と同様に構成されている。すなわち、本実施形態の場合、クレンジングシート１は介在部９を有していない。
本変形例に係るクレンジングシート１によれば、介在部９を有することにより得られる効果を除き、第１の実施形態と同様の効果が得られる。
【００２７】
＜第１の実施形態の変形例２＞
図３（ｂ）に示すように、本変形例の場合、クレンジングシート１は、２枚のシート材、すなわち、ベースシート４（図３（ｂ）では不図示）とポケット構成シート１６とにより構成されている。つまり、本変形例に係るクレンジングシート１は、ポケット構成シート５、６を備えていない代わりに、ポケット構成シート１６を備えている。
【００２８】
ポケット構成シート１６は、平面形状がベースシート４と同じであり、且つ、平面視において、ベースシート４の外形線とポケット構成シート１６の外形線とが一致するように、ポケット構成シート１６がベースシート４に対して位置合わせされている。
【００２９】
本変形例の場合、開口部２ａ、３ａは、ベースシート４の長軸に対して平行なクレンジングシート１の一対の縁辺部（図３（ｂ）における上下の縁辺部）のうち、一方（図３（ｂ）における下側の縁辺部）に配置されている。
【００３０】
ベースシート４とポケット構成シート１６とを相互に接合している接合部１７は、ベースシート４の短軸に沿って延在する第１部分１７ａと、クレンジングシート１の周縁部に沿って延在する第２部分１７ｂと、を含んでいる。このうち第２部分１７ｂは、クレンジングシート１の周縁部のうち、開口部２ａ、３ａを除く全域に亘って延在している。第１部分１７ａの一端は、第２部分１７ｂと連続している。
第１部分１７ａによって、指挿入ポケット２の内部領域と指挿入ポケット３の内部領域とが相互に仕切られている。また、第１部分１７ａの他端部が、開口部２ａと開口部３ａとの間に配置されており、第１部分１７ａの他端部によって、開口部２ａと開口部３ａとが相互に仕切られている。
開口部２ａと開口部３ａとは、互いに同一直線上に延在している。
【００３１】
本変形例の場合、指挿入ポケット２に対する手指の挿入方向は、図３（ｂ）に示される左側の矢印の方向であり、指挿入ポケット３に対する手指の挿入方向は、図３（ｂ）に示される右側の矢印の方向である。すなわち、本変形例の場合、指挿入ポケット２に対する手指の挿入方向と、指挿入ポケット３に対する手指の挿入方向とは、互いに平行となっている。
このため、本変形例の場合は、指挿入ポケット２、３のそれぞれに対して、片方の手の親指以外の２本の指（人差し指と中指など）をそれぞれ挿入してクレンジングシート１を用いることが容易となっている。或いは、片方の手の親指と、親指以外の指（人差し指など）と、を指挿入ポケット２、３のそれぞれに挿入することもできる。更に、両手の指を１本ずつ指挿入ポケット２、３に挿入することもできる。
【００３２】
＜第１の実施形態の変形例３＞
本変形例に係るクレンジングシート１は、以下に説明する点で、上記の第１の実施形態に係るクレンジングシート１と相違しており、その他の点では、上記の第１の実施形態に係るクレンジングシート１と同様に構成されている。
【００３３】
図３（ｃ）に示すように、本変形例の場合、開口部２ａ及び開口部３ａがベースシート４の長軸方向に対して交差する方向に延在している。更に、開口部２ａが延在する方向と、開口部３ａが延在する方向とが互いに交差している。また、ベースシート４の長軸方向に対する開口部２ａの傾斜の方向と、ベースシート４の長軸方向に対する開口部３ａの傾斜の方向と、が互いに反対方向となっている。
また、介在部９が台形状になっている。すなわち、この台形状の上底が、ベースシート４の長軸に対して平行なクレンジングシート１の一対の縁辺部（図３（ｃ）における上下の縁辺部）のうちの一方に沿って配置されているとともに、この台形状の上底が、当該一対の縁辺部のうちの他方に沿って配置されている。
また、本変形例の場合、接合部７、８が延在する範囲が、上記の実施形態よりも短くなっており、各接合部７、８の平面形状はそれぞれ反転したＪ字状及びＪ字状となっている。
【００３４】
本変形例の場合、指挿入ポケット２に対する手指の挿入方向は、図３（ｃ）に示される左側の矢印の方向であり、指挿入ポケット３に対する手指の挿入方向は、図３（ｃ）に示される右側の矢印の方向である。すなわち、本変形例の場合、複数の指挿入ポケット２、３に対する手指の挿入方向が、互いに交差方向となっている。
本変形例の場合は、指挿入ポケット２、３のそれぞれに対して、片方の手の親指以外の２本の指（人差し指と中指など）をそれぞれ挿入してクレンジングシート１を用いることが容易となっている。或いは、片方の手の親指と、親指以外の指（人差し指など）と、を指挿入ポケット２、３のそれぞれに挿入することもできる。更に、両手の指を１本ずつ指挿入ポケット２、３に挿入することもできる。
【００３５】
＜第１の実施形態の変形例４＞
本変形例に係るクレンジングシート１は、以下に説明する点で、上記の第１の実施形態に係るクレンジングシート１と相違しており、その他の点では、上記の第１の実施形態に係るクレンジングシート１と同様に構成されている。
【００３６】
図３（ｄ）に示すように、本変形例の場合、ポケット構成シート５、６において開口部２ａ、３ａを構成する縁辺部に、それぞれ切欠形状部１８が形成されている。これにより、開口部２ａ、３ａから指挿入ポケット２、３の内部領域に手指を挿入しやすくなる。
なお、本変形例の場合は、切欠形状部１８がＵ字状になっている。
【００３７】
＜第１の実施形態の変形例５＞
本変形例に係るクレンジングシート１は、以下に説明する点で、上記の変形例４に係るクレンジングシート１と相違しており、その他の点では、上記の変形例４に係るクレンジングシート１と同様に構成されている。
【００３８】
図３（ｅ）に示すように、本変形例の場合、切欠形状部１８が波形に形成されている。この場合も、開口部２ａ、３ａからポケット構成シート５、６の内部領域に手指を挿入しやすくなる。
【００３９】
＜第１の実施形態の変形例６＞
本変形例に係るクレンジングシート１は、以下に説明する点で、上記の実施形態に係るクレンジングシート１と相違しており、その他の点では、上記の実施形態に係るクレンジングシート１と同様に構成されている。
本変形例では、親指とその他の指との長さや太さの違い等を考慮して、クレンジングシート１が左右非対称の形状となっている例を説明する。
【００４０】
本変形例の場合、図１１（ａ）に示すように、指挿入ポケット２の長さ（深さ）Ｌ１と指挿入ポケット３の長さＬ２とが互いに異なっている。すなわち、長さＬ１よりも長さＬ２の方が長い。
これにより、例えば、短い方の指挿入ポケット２には親指を挿入し、長い方の指挿入ポケット３には他の指（例えば人差し指）を挿入してクレンジングシート１を用いることが好適となる。
なお、本変形例の場合、指挿入ポケット２よりも指挿入ポケット３の方が広い。
【００４１】
＜第１の実施形態の変形例７＞
本変形例に係るクレンジングシート１は、以下に説明する点で、上記の実施形態に係るクレンジングシート１と相違しており、その他の点では、上記の実施形態に係るクレンジングシート１と同様に構成されている。
本変形例でも、親指とその他の指との長さや太さの違いを考慮して、クレンジングシート１が左右非対称の形状となっている。
【００４２】
本変形例の場合、図１１（ｂ）に示すように、指挿入ポケット２の開口２ａと指挿入ポケット３の開口３ａとが互いに交差している。より詳細には、開口３ａはクレンジングシート１の長手方向（図１１（ｂ）における左右方向）に対して直交する方向に延在しているのに対して、開口２ａはクレンジングシート１の長手方向に対して傾斜している（クレンジングシート１の長手方向に対して９０度とは異なる角度で交差している）。
これにより、指挿入ポケット２の開口２ａが、指挿入ポケット３の開口３ａよりも広くなるとともに、開口２ａの角度が指挿入ポケット２に対して親指を挿入しやすい角度になるので、指挿入ポケット２に対して親指を入れやすくなる。
【００４３】
＜第１の実施形態の変形例８＞
本変形例に係るクレンジングシート１は、以下に説明する点で、上記の実施形態に係るクレンジングシート１と相違しており、その他の点では、上記の実施形態に係るクレンジングシート１と同様に構成されている。
本変形例でも、親指とその他の指との長さや太さの違いを考慮して、クレンジングシート１が左右非対称の形状となっている。
【００４４】
本変形例の場合、図１１（ｃ）に示すように、指挿入ポケット３の幅Ｗ２が指挿入ポケット２の幅Ｗ１よりも広い。
これにより、指挿入ポケット３に対して親指を入れやすくなる。
【００４５】
ここで、幅Ｗ１及び幅Ｗ２は、クレンジングシート１の長手方向（図１１（ｃ）における左右方向）に対して直交する方向における指挿入ポケット２、３の寸法とすることができる。
幅Ｗ１は指挿入ポケット２において最も幅広の部分の幅とすることができ、幅Ｗ２は指挿入ポケット３において最も幅狭の部分の幅とすることができる。ただし、幅Ｗ１は指挿入ポケット２の幅寸法の平均値である一方で、幅Ｗ２は指挿入ポケット２の幅寸法の平均値であっても良い。或いは、幅Ｗ１は指挿入ポケット２の幅寸法の最大値（又は最小値）である一方で、幅Ｗ２は指挿入ポケット２の幅寸法の最大値（又は最小値）であっても良い。
【００４６】
〔第２の実施形態〕
次に、図４を用いて第２の実施形態を説明する。
本実施形態に係るクレンジングシート１は、以下に説明する点で、上記の第１の実施形態に係るクレンジングシート１と相違しており、その他の点では、上記の第１の実施形態に係るクレンジングシート１と同様に構成されている。
【００４７】
本実施形態の場合、ベースシート４、ひいてはクレンジングシート１の平面形状は、Ｕ字状又はＶ字状の帯状となっている。これにより、クレンジングシート１は、切欠形状部１９を有している。なお、クレンジングシート１において、両端部に位置する指挿入ポケット２、３を除いた部分である介在部９も、平面形状がＵ字状又はＶ字状の帯状となっている。
【００４８】
図４（ａ）に示すように、クレンジングシート１を鼻１１に載せた際に、鼻１１が切欠形状部に入り込むことによって、クレンジングシート１と鼻１１との干渉を抑制でき、クレンジングシート１を鼻１１に対してフィットさせやすくなる。
すなわち、本実施形態に係るクレンジングシート１は、当該クレンジングシート１を人の鼻１１に沿って配置した状態において、鼻１１の一部分が入り込み可能な切欠形状部１９を有する。
【００４９】
本実施形態場合、開口部２ａが延在する方向と、開口部３ａが延在する方向とは、上述の第１の実施形態の変形例３（図３（ｃ））と同様に、互いに交差している。
そして、複数の指挿入ポケット２、３に対する手指の挿入方向が、互いに交差方向となっている。
このため、指挿入ポケット２、３に対して、片方の手の親指以外の２本の指（人差し指と中指など）をそれぞれ挿入してクレンジングシート１を用いることが容易となっている。或いは、片方の手の親指と、親指以外の指（人差し指など）と、を指挿入ポケット２、３のそれぞれに挿入することもできる。更に、両手の指を１本ずつ指挿入ポケット２、３に挿入することもできる。
【００５０】
なお、クレンジングシート１を鼻１１に載せる際におけるクレンジングシート１の向きは、図４（ａ）に示すように切欠形状部１９が下側に位置する向きであっても良いし、切欠形状部１９が上側に位置する向きであっても良い。
【００５１】
本実施形態に係るクレンジングシート１によれば、上記の第１の実施形態と同様の効果が得られる他、クレンジングシート１を鼻１１に対してフィットさせやすくなる。
【００５２】
＜第２の実施形態の変形例＞
以下、図５各図、図６各図、及び、図７各図を用いて、第２の実施形態の各変形例について説明する。
【００５３】
＜第２の実施形態の変形例１＞
図５（ａ）に示すように、本変形例の場合、クレンジングシート１は、開口部２ａと開口部３ａとが互いに同一直線上に配置されている点で、上記の第２の実施形態と相違し、その他の点では上記の第２の実施形態と同様に構成されている。
本変形例では、指挿入ポケット２、３に対する手指の挿入方向が、第１の実施形態の変形例２（図３（ｂ））と同様に、互いに平行となっており、指挿入ポケット２、３に対する手指の挿入の仕方も、第１の実施形態の変形例２と同様である。
【００５４】
＜第２の実施形態の変形例２＞
本変形例に係るクレンジングシート１は、以下に説明する点で、上記の第２の実施形態に係るクレンジングシート１と相違しており、その他の点では、上記の第２の実施形態に係るクレンジングシート１と同様に構成されている。
【００５５】
図５（ｂ）に示すように、本変形例の場合、クレンジングシート１は、２枚のシート材、すなわち、ベースシート４とポケット構成シート２０とにより構成されている。つまり、本変形例に係るクレンジングシート１は、ポケット構成シート５、６を備えていない代わりに、ポケット構成シート２０を備えている。
ポケット構成シート２０の平面形状は、ベースシート４から両端部を切除したような、Ｕ字状又はＶ字状の帯状の形状となっている。ポケット構成シート２０は、ベースシート４における両端部を除く部分に対して重ねて配置されている。更に、ポケット構成シート２０は、両端の縁辺部を除く周縁部が、ベースシート４の周縁部に対して接合されている。すなわち、図５（ｂ）に示す接合部２１、２２において、ポケット構成シート２０とベースシート４とが相互に接合されている。
本変形例の場合、指挿入ポケット２と指挿入ポケット３とが内部で相互に連通している。
【００５６】
本変形例では、指挿入ポケット２、３に対する手指の挿入方向が互いに交差している。そして、指挿入ポケット２、３のそれぞれに対して、両手の指を１本ずつ挿入して、クレンジングシート１を用いることができる。或いは、片方の手の親指と、親指以外の指（人差し指など）と、を指挿入ポケット２、３のそれぞれに挿入することもできる。
【００５７】
＜第２の実施形態の変形例３＞
本変形例に係るクレンジングシート１は、以下に説明する点で、上記の第２の実施形態に係るクレンジングシート１と相違しており、その他の点では、上記の第２の実施形態に係るクレンジングシート１と同様に構成されている。
【００５８】
図６（ａ）に示すように、本変形例の場合、ベースシート４の平面形状はダンベル形状（亜鈴形状）となっており、クレンジングシート１の長手方向（図６（ａ）の左右方向）における両端にそれぞれ指挿入ポケット２、３が配置されている。クレンジングシート１の長手方向に対して直交する短手方向の両側には、それぞれ切欠形状部１９が形成されている。また、ポケット構成シート５、６の形状も、ダンベル形状のベースシート４の長手方向における端部と対応する形状となっている。クレンジングシート１は、長手方向において対称に形成されているとともに、短手方向においても対称に形成されている。また、開口部２ａと開口部３ａとは、クレンジングシート１の長手方向に対して直交する方向に延在している。つまり、開口部２ａと開口部３ａとは、互いに平行に延在している。
指挿入ポケット２、３に対する手指の挿入方向は、互いに反対方向となっている。このため、第１の実施形態（図１）と同様に、指挿入ポケット２、３のそれぞれに対して、片方の手の親指と親指以外の指（人差し指など）とを挿入して、クレンジングシート１を用いることができる。
【００５９】
＜第２の実施形態の変形例４＞
本変形例に係るクレンジングシート１は、以下に説明する点で、上記の第２の実施形態の変形例３に係るクレンジングシート１（図６（ａ））と相違しており、その他の点では、上記の第２の実施形態の変形例３に係るクレンジングシート１と同様に構成されている。
【００６０】
図６（ｂ）に示すように、本変形例の場合、開口部２ａの延在方向と開口部３ａの延在方向とが、第１の実施形態の変形例３に係るクレンジングシート１（図３（ｃ））と同様に、互いに交差している。このため、指挿入ポケット２、３に対する手指の差し込み方は、第１の実施形態の変形例３に係るクレンジングシート１と同様である。
【００６１】
＜第２の実施形態の変形例５＞
本変形例に係るクレンジングシート１は、以下に説明する点で、上記の第２の実施形態の変形例３に係るクレンジングシート１（図６（ａ））と相違しており、その他の点では、上記の第２の実施形態の変形例３に係るクレンジングシート１と同様に構成されている。
図６（ｃ）に示すように、本変形例の場合、クレンジングシート１の長手方向（左右方向）に対して直交する短手方向において、片側にのみ切欠形状部１９が形成されている。
【００６２】
＜第２の実施形態の変形例６＞
本変形例に係るクレンジングシート１は、以下に説明する点で、上記の第２の実施形態に係るクレンジングシート１（図４（ａ））と相違しており、その他の点では、上記の第２の実施形態に係るクレンジングシート１と同様に構成されている。
【００６３】
図７（ａ）に示すように、本変形例の場合、クレンジングシート１及びベースシート４の平面形状は、クレンジングシート１の中心から３方向に放射状に膨出した形状となっており、３つの膨出部の各々に指挿入ポケット２、３、２３が形成されている。指挿入ポケット２３は、ベースシート４に対してポケット構成シート２７が接合されることにより構成されている。指挿入ポケット２３の開口部２３ａの延在方向は、開口部２ａ及び開口部３ａの延在方向に対して交差している。３つの指挿入ポケット２、３、２３に対する手指の挿入方向も、クレンジングシート１の中心から指挿入ポケット３方向に放射状に延びる方向となっている。
【００６４】
また、各指挿入ポケット２、３、２３のうち互いに隣り合う指挿入ポケットどうしの間にそれぞれ切欠形状部１９が形成されている。何れか１つの切欠形状部１９に鼻の一部分が入り込むようにして、クレンジングシート１を配置することができる。例えば、指挿入ポケット２と指挿入ポケット３との間の切欠形状部１９に鼻の下部の一部分が入り込むとともに、指挿入ポケット２３が鼻背に載るようにして、クレンジングシート１を配置することができる。
【００６５】
本変形例の場合、３つの指挿入ポケット２、３、２３のうち、何れか２つの指挿入ポケットにそれぞれ指を挿入して、クレンジングシート１を皮膚に擦りつけたりクレンジングシート１を介してマッサージしたりすることができる。
【００６６】
＜第２の実施形態の変形例７＞
図７（ｂ）に示すように、本変形例に係るクレンジングシート１は、指挿入ポケット２と指挿入ポケット３との間に切欠形状部１９を有していない。その代わりに、本変形例に係るクレンジングシート１は、指挿入ポケット２と指挿入ポケット３との間に、外方（図７（ｂ）では下方）に向けて膨出している膨出部２４が形成されている。本変形例に係るクレンジングシート１は、それ以外の点については、第２の実施形態の変形例６に係るクレンジングシート１（図７（ａ））と同様である。膨出部２４は、ベースシート４の一部分により構成されている。
本変形例の場合、この膨出部２４を用いて、鼻の下までクレンジングシート１に含浸している液剤を毛穴の汚れに馴染ませることができる。
【００６７】
＜第２の実施形態の変形例８＞
上記の第２の実施形態の変形例７では、膨出部２４がベースシート４の一部分により構成されているのに対し、本変形例では、図７（ｃ）に示すように、膨出部２４は、ベースシート４に対して接合部２５において接合された膨出部構成シート２６によって構成されている。膨出部構成シート２６は、ベースシート４と同様のシート材により構成されており、膨出部構成シート２６にも液剤が含浸している。
本変形例によっても、膨出部２４を用いて、鼻の下までクレンジングシート１に含浸している液剤を毛穴の汚れに馴染ませることができる。
【００６８】
〔第４の実施形態〕
次に、図８を用いて第４の実施形態を説明する。
本実施形態に係るクレンジングシート１は、以下に説明する点で、上記の第１の実施形態に係るクレンジングシート１と相違し、その他の点では、第１の実施形態に係るクレンジングシート１と同様に構成されている。
【００６９】
図８（ｂ）及び（ｄ）に示すように、本実施形態の場合、クレンジングシート１の各部を構成するシート材（ベースシート４、ポケット構成シート５、６）が、各シート材の一方の面を構成する第１層２８と、他方の面を構成する第２層２９と、を含む積層構造となっている。すなわち、各シート材は、第１層２８と第２層２９とを熱融着により相互に貼り合わせることによって構成されている。
【００７０】
第１層２８と第２層２９とでは、素材が互いに異なっている。ここで、第１層２８と第２層２９とで素材が互いに異なるということには、第１層２８を構成する材料と第２層２９を構成する材料との種類が異なる場合の他、第１層２８と第２層２９とが同種の材料の繊維により構成されている場合に、繊維の太さ、密度、及び、柔らかさのうちの少なくとも１つ以上が、互いに異なっている場合などが含まれる。
また、第１層２８及び第２層２９の各々が、不織布により構成された不織布層であり、第１層２８及び第２層２９の坪量が互いに異なっていてもよい。
本実施形態の場合、第１層２８は、肌に馴染みやすい生地とし、第２層２９は、マッサージ効果が高い生地とすることができる。
【００７１】
図８（ａ）及び（ｂ）の状態では、ベースシート４の第２層２９に対して、ポケット構成シート５及びポケット構成シート６の第２層２９が対向している。したがって、各シート材の第２層２９は、指挿入ポケット２、３の内面側を向いており、各シート材の第１層２８は、指挿入ポケット２、３の外面側を向いている。
【００７２】
図８（ａ）及び（ｂ）の状態において指挿入ポケット２、３の内面側を向いている第２層２９が外面に露出するように、指挿入ポケット２及び３を裏返すことにより、クレンジングシート１は、図８（ｃ）及び（ｄ）に示す状態となる。
【００７３】
本実施形態に係るクレンジングシート１を使用する場合には、先ず、図８（ａ）及び（ｂ）に示すように各シート材の第１層２８が指挿入ポケット２、３の外面側を向いている状態で、クレンジングシート１を顔に貼り付けた状態で静置し、クレンジングシート１に含浸している液剤を皮膚（肌）に馴染ませる。
次に、指挿入ポケット２、３を裏返して図８（ｃ）及び（ｄ）の状態にした後で、指挿入ポケット２、３に手指を挿入し、クレンジングシート１を用いて顔をマッサージする。
【００７４】
〔第５の実施形態〕
次に、図９を用いて第５の実施形態を説明する。
本実施形態に係るクレンジングシート１は、指挿入ポケット２、３の開口縁部が、他部に比して補強されている点で、上記の第１の実施形態に係るクレンジングシート１と相違しており、その他の点では、上記の第１の実施形態に係るクレンジングシート１と同様に構成されている。
【００７５】
図９に示すように、本実施形態に係るクレンジングシート１は、指挿入ポケット２の開口部２ａの縁部が補強部２ｂとなっているとともに、指挿入ポケット３の開口部３ａの縁部が補強部３ｂとなっている。
補強部２ｂ、３ｂは、ポケット構成シート５、６における開口部２ａ、３ａの縁部をそれぞれ熱プレスすることにより形成することができる。
このような補強部２ｂ、３ｂが形成されていることにより、補強部２ｂ、３ｂを他部に比して高剛性にすることができる。すなわち、補強部２ｂ、３ｂが他部に比して補強された構造を実現できる。
これにより、指挿入ポケット２、３に手指を挿入するために開口部２ａ、３ａを開く操作が容易になるため、指挿入ポケット２、３に手指を挿入しやすくなる。
【００７６】
〔第５の実施形態〕
本実施形態の場合、クレンジングシート１の表面の少なくとも一部分に複数の凹凸が形成されている。
凹凸の形状は特に限定されないが、図１０各図に示すような形状を例示することができる。
図１０（ａ）には凹部（溝部）又は凸部（リブ）がストライプ状である例を示している。
図１０（ｂ）には凹部又は凸部がドット状である例を示している。
図１０（ｃ）には凹部（溝部）又は凸部（リブ）がＴ字状である例を示している。
図１０（ｄ）には凹部（溝部）又は凸部（リブ）がジグザグ状である例を示している。
図１０（ｅ）には凹部（溝部）又は凸部（リブ）が破線状である例を示している。
これら例示される凹凸形状は、何れも、クレンジングシート１を縦（図１０各図の上下方向）及び横（図１０各図の左右方向）に動かしたときに、それぞれ引っ掛かりがある形状となっている。
【００７７】
図１０各図においては、クレンジングシート１の底面（つまり、ベースシート４の全面が露出している方の面であるウラ面）に凹凸が形成されている例を示しているが、クレンジングシート１のオモテ面に凹凸が形成されていても良い。また、クレンジングシート１のウラ面とオモテ面との双方に凹凸が形成されていても良い。
【００７８】
クレンジングシート１のウラ面に凹凸が形成されていることにより、クレンジングシート１による皮膚のマッサージ効果を向上させたり、汚れを擦り取る効果を向上させたりすることができる。
また、指挿入ポケット２、３の内面側に凹凸が形成されていることにより、滑り止め効果が期待できるため、指挿入ポケット２、３から手指が意図せず脱落してしまうことを抑制することができる。
【００７９】
凹凸は、ベースシート４とポケット構成シート（ポケット構成シート５、６、１６、２０、２７）とが相互に接合される以前に、これらシート材の少なくとも何れか１つに形成されていても良いし、ベースシート４とポケット構成シートとが相互に接合された後で、これらシート材の何れか１つに形成されても良い。
これらシート材の凹凸を形成する方法としては、熱プレスが挙げられる。つまり、熱プレスによってシート材を部分的に圧縮することによって、各種の形状の凹凸形状を形成することができる。
【００８０】
本発明は上述の実施形態に限定されるものではなく、本発明の目的が達成される限りにおける種々の変形、改良等の態様も含む。
例えば、クレンジングシート１には、各種の装飾が、印刷などによって施されていても良い。このようにすることにより、クレンジングシート１の意匠性を向上することができる。
装飾の例としては、動物やキャラクタの絵がクレンジングシート１の表面に描かれていることが挙げられる。より詳細には、クレンジングシート１のオモテ面に、動物の鼻の絵が描かれていることが挙げられ、このようにすることにより、クレンジングシート１を興趣性も兼ね備えたものとすることができる。
【００８１】
クレンジングシート１の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００８２】
上記実施形態は、以下の技術思想を包含する。
＜１＞液剤が含浸しており、皮膚の汚れを除去するクレンジングシートであって、人の手指が挿入される袋状にそれぞれ形成されている複数の指挿入ポケットを有するクレンジングシート。
＜２＞前記複数の指挿入ポケットどうしが互いに離間している＜１＞に記載のクレンジングシート。
＜３＞当該クレンジングシートを人の鼻に沿って配置した状態において前記鼻の一部分が入り込み可能な切欠形状部を有する＜１＞１又は＜２＞に記載のクレンジングシート。
＜４＞当該クレンジングシートの表面の少なくとも一部分に複数の凹凸が形成されている＜１＞から＜３＞のいずれか一項に記載のクレンジングシート。
＜５＞当該クレンジングシートが、当該クレンジングシートの一方の面を構成する第１層と、他方の面を構成する第２層と、を含む積層構造となっている＜１＞から＜４＞のいずれか一項に記載のクレンジングシート。
＜６＞前記第１層と前記第２層とでは、素材が互いに異なっている＜５＞に記載のクレンジングシート。
＜７＞前記第１層及び前記第２層の各々が不織布層であり、前記第１層及び前記第２層の坪量が互いに異なっている＜６＞に記載のクレンジングシート。
＜８＞前記複数の指挿入ポケットに対する手指の挿入方向が互いに異なっている＜１＞から＜７＞のいずれか一項に記載のクレンジングシート。
＜９＞前記複数の指挿入ポケットに対する手指の挿入方向が、互いに反対方向又は交差方向となっている＜８＞に記載のクレンジングシート。
＜１０＞前記指挿入ポケットの開口縁部が、他部に比して補強されている＜１＞から＜９＞のいずれか一項に記載のクレンジングシート。
＜１１＞前記指挿入ポケットの各々は、前記手指における付け根よりも先端側の部分が挿入され、且つ、手における前記付け根よりも手首側の部分は覆わないサイズのものである＜１＞から＜１０＞のいずれか一項に記載のクレンジングシート。
【符号の説明】
【００８３】
１  クレンジングシート
２、３、２３  指挿入ポケット
２ａ、３ａ、２３ａ  開口部
２ｂ、３ｂ  補強部
４  ベースシート
５、６、１６、２０、２７  ポケット構成シート
７、８、１７、２１、２２、２５  接合部
１７ａ  第１部分
１７ｂ  第２部分
９  介在部
１０  顔
１１  鼻
１２  手
１３  手指
１３ａ  親指
１３ｂ  人差し指
１４  指の付け根
１５  手首
１８、１９  切欠形状部
２４  膨出部
２６  膨出部構成シート
２８  第１層
２９  第２層
【図１】
2018019913.tif 000003
【図２】
2018019913.tif 000004
【図３】
2018019913.tif 000005
【図４】
2018019913.tif 000006
【図５】
2018019913.tif 000007
【図６】
2018019913.tif 000008
【図７】
2018019913.tif 000009
【図８】
2018019913.tif 000010
【図９】
2018019913.tif 000011
【図１０】
2018019913.tif 000012
【図１１】
2018019913.tif 000013